(57)【要約】【課題】タイマー放電に関する利便性を向上させた給電装置を提供する。【解決手段】放電動作を行う電力変換部１１と、放電時間帯に関する時間情報が格納された記憶部１６と、電力変換部１１を制御する制御部１５と、を備えた給電装置１であって、制御部１５は、放電時間帯または該放電時間帯の開始時刻よりも前に電力変換部１１と電動車２との接続が解除され、かつ放電時間帯に電力変換部１１が電動車２に再接続された場合、再接続時から放電時間帯の終了時刻の間に、車載バッテリ３の状態に基づいて終了時刻を遅らせるか否かの決定をする一方、放電時間帯および該放電時間帯の開始時刻よりも前に電力変換部１１と電動車２との接続が解除されなかった場合、終了時刻に電力変換部１１による放電動作を終了させることを特徴とする。【選択図】図１
2015208112.tif 000002
【特許請求の範囲】
【請求項１】
電動車の車載バッテリを放電させ、当該放電により得た直流電力を交流化して負荷に供給する放電動作を行う電力変換部と、
前記車載バッテリを放電させる放電時間帯に関する時間情報が格納された記憶部と、
前記電力変換部が前記放電時間帯に前記放電動作を行うように前記電力変換部を制御する制御部と、
を備えた給電装置であって、
前記制御部は、
前記放電時間帯または該放電時間帯の開始時刻よりも前に前記電力変換部と前記電動車との接続が解除され、かつ前記放電時間帯に前記電力変換部が前記電動車に再接続された場合、前記再接続時から前記放電時間帯の終了時刻の間に、前記車載バッテリの状態に基づいて前記終了時刻を遅らせるか否かの決定をする一方、
前記放電時間帯および前記開始時刻よりも前に前記電力変換部と前記電動車との接続が解除されなかった場合、前記終了時刻に前記電力変換部による前記放電動作を終了させる
ことを特徴とする給電装置。
【請求項２】
前記制御部は、遅らせる前の前記終了時刻における前記車載バッテリの充電率が予め設定された設定充電率に達しているか否かを判定し、前記設定充電率に達していないと判定した場合は前記終了時刻を遅らせる決定をする一方、前記設定充電率に達していると判定した場合は前記終了時刻を遅らせない決定をする
ことを特徴とする請求項１に記載の給電装置。
【請求項３】
前記制御部は、前記再接続時における前記車載バッテリの充電率が前記解除時における前記車載バッテリの充電率よりも増加しているか否かを判定し、増加していると判定した場合は前記終了時刻を遅らせる決定をする一方、増加していないと判定した場合は前記終了時刻を遅らせない決定をする
ことを特徴とする請求項１に記載の給電装置。
【請求項４】
前記終了時刻を遅らせるか否かの選択をユーザーに要求する表示操作部をさらに備え、
前記制御部は、前記表示操作部において前記終了時刻を遅らせる選択がされた場合は前記終了時刻を遅らせる決定をする一方、前記表示操作部において前記終了時刻を遅らせる選択がされなかった場合は前記終了時刻を遅らせない決定をする
ことを特徴とする請求項１〜３のいずれか一項に記載の給電装置。
【請求項５】
前記表示操作部は、前記再接続時または遅らせる前の前記終了時刻に、前記終了時刻を遅らせるか否かの選択をユーザーに要求する
ことを特徴とする請求項４に記載の給電装置。
【発明の詳細な説明】
【技術分野】
【０００１】
本発明は、負荷に対して交流電力を供給する給電装置に関する。
【背景技術】
【０００２】
負荷に対して交流電力を供給する給電装置としては、例えば、特許文献１に記載の系統連系運転と自立運転とを行うものが知られている。この給電装置は、系統連系運転時には、家庭内の各種負荷に対して交流電力を供給する一方、自立運転時には、非常用コンセントに接続された負荷に対してのみ交流電力を供給する。
【０００３】
一方、近年では、自立運転時に家庭内の各種負荷に対して交流電力を供給することができる系統非連系のＶｅｈｉｃｌｅ  ｔｏ  Ｈｏｍｅシステム（Ｖ２Ｈシステム）も利用され始めている。この給電装置（Ｖ２Ｈシステム）は、電気自動車やプラグインハイブリッドカー等の電動車に搭載された車載バッテリを放電させ、当該放電により得た直流電力を交流化して家庭内の各種負荷に供給する。
【０００４】
また、この給電装置は、ユーザーが予め設定した時間帯に車載バッテリを充電するタイマー充電機能と、ユーザーが予め設定した時間帯に車載バッテリを放電させるタイマー放電機能とを有している。この給電装置では、割安の深夜料金が適用される夜間の時間帯にタイマー充電を行い、通常料金が適用される昼間の時間帯にタイマー放電を行うことで、電気料金の節約を図ることができる。
【先行技術文献】
【特許文献】
【０００５】
【特許文献１】特開２００１−８４６４号公報
【発明の概要】
【発明が解決しようとする課題】
【０００６】
本願発明者は、タイマー放電の時間帯にユーザーが電動車に乗って外出し、外出先に設置された充電装置で車載バッテリを充電し、上記時間帯の終了時刻よりも前に戻ってきてタイマー放電を再開させる場合があることに着目し、この場合、車載バッテリの充電率（ＳＯＣ）の増加分に応じてタイマー放電を延長できることを見出した。しかしながら、従来の給電装置では、タイマー放電を延長させるためにはタイマー放電の時間帯を再度設定する必要があり、この再度の設定がユーザーの利便性を損なっていた。
【０００７】
本発明は上記事情に鑑みてなされたものであって、その課題とするところは、タイマー放電に関する利便性を向上させた給電装置を提供することにある。
【課題を解決するための手段】
【０００８】
上記課題を解決するために、本発明に係る給電装置は、電動車の車載バッテリを放電させ、当該放電により得た直流電力を交流化して負荷に供給する放電動作を行う電力変換部と、車載バッテリを放電させる放電時間帯に関する時間情報が格納された記憶部と、電力変換部が放電時間帯に放電動作を行うように電力変換部を制御する制御部と、を備えた給電装置であって、制御部は、放電時間帯または該放電時間帯の開始時刻よりも前に電力変換部と電動車との接続が解除され、かつ放電時間帯に電力変換部が電動車に再接続された場合、再接続時から放電時間帯の終了時刻の間に、車載バッテリの状態に基づいて終了時刻を遅らせるか否かの決定をする一方、放電時間帯および開始時刻よりも前に電力変換部と電動車との接続が解除されなかった場合、終了時刻に電力変換部による放電動作を終了させることを特徴とする。
【０００９】
この構成によれば、制御部が車載バッテリの状態に基づいて放電時間帯の終了時刻を遅らせるか否かの決定をするので、ユーザーがタイマー放電の設定をあらためて行うことなく、放電時間帯の終了時刻を遅らせることが可能となる。
【００１０】
上記給電装置の制御部は、例えば、遅らせる前の終了時刻における車載バッテリの充電率が予め設定された設定充電率に達しているか否かを判定し、設定充電率に達していないと判定した場合は終了時刻を遅らせる決定をする一方、設定充電率に達していると判定した場合は終了時刻を遅らせない決定をするよう構成できる。
【００１１】
上記給電装置の制御部は、例えば、再接続時における車載バッテリの充電率が解除時における車載バッテリの充電率よりも増加しているか否かを判定し、増加していると判定した場合は終了時刻を遅らせる決定をする一方、増加していないと判定した場合は終了時刻を遅らせない決定をするよう構成できる。
【００１２】
上記給電装置では、終了時刻を遅らせるか否かの選択をユーザーに要求する表示操作部をさらに備え、制御部は、表示操作部において終了時刻を遅らせる選択がされた場合は終了時刻を遅らせる決定をする一方、表示操作部において終了時刻を遅らせる選択がされなかった場合は終了時刻を遅らせない決定をするよう構成できる。
【００１３】
上記給電装置の表示操作部は、再接続時または遅らせる前の終了時刻に、終了時刻を遅らせるか否かの選択をユーザーに要求するよう構成できる。
【発明の効果】
【００１４】
本発明によれば、タイマー放電に関する利便性を向上させた給電装置を提供することができる。
【図面の簡単な説明】
【００１５】
【図１】本発明に係る給電装置のブロック図である。
【図２】本発明におけるタイマー設定部の動作を示すフローチャートである。
【図３】本発明におけるタイマー管理部の動作を示すフローチャートである。
【図４】本発明における充放電制御部の動作を示すフローチャートである。
【図５】本発明におけるタイマー放電制御のフローチャートである。
【図６】本発明におけるタイマー放電制御の第１実施例を示すタイミングチャートである。
【図７】本発明におけるタイマー放電制御の第２実施例を示すタイミングチャートである。
【発明を実施するための形態】
【００１６】
以下、添付図面を参照して、本発明に係る給電装置の実施形態について説明する。
【００１７】
図１に、本発明の一実施形態に係る給電装置１を示す。同図に示すように、給電装置１は、切替部１０と、電力変換部１１と、表示操作部１２と、時計部１３と、コネクタ部１４と、制御部１５と、記憶部（例えば、不揮発性メモリ）１６とを備えている。
【００１８】
切替部１０は、制御部１５の制御下でオン／オフするスイッチ手段を有し、電力変換部１１と家庭内の負荷５を接続した第１状態と、系統（商用電源）６と負荷５を接続した第２状態とに切り替わる。切替部１０が第１状態のときは、電力変換部１１からの交流電力が負荷５に供給される一方、切替部１０が第２状態のときは、系統６からの交流電力が負荷５に供給される。
【００１９】
電力変換部１１は、系統６から供給される交流電力を直流化して電動車２の車載バッテリ３に供給する充電動作と、車載バッテリ３を放電させ、当該放電により得た直流電力を交流化して負荷５に供給する放電動作とを、制御部１５の制御下で選択的に行う。
【００２０】
表示操作部１２は、液晶タッチパネル等の表示画面を兼ねた操作パネルを有している。表示操作部１２には、充電を開始／停止させるための画面、放電を開始／停止させるための画面、タイマー充電の設定画面、タイマー放電の設定画面等が切り替え可能に表示される。タイマー放電の設定画面には、タイマー放電の開始時刻および終了時刻をユーザーに入力させるための入力ボタン、入力された開始時刻および終了時刻を確定し、これらの時間情報を制御部１５に出力するための決定ボタンが配置されている。
【００２１】
時計部１３は、水晶振動子の周波数に応じたクロック信号に基づいて現在の時刻（例えば、年・月・日・時・分・秒）を算出する。
【００２２】
コネクタ部１４は、電力変換部１１から延びる電力ケーブルおよび制御部１５から延びる通信ケーブルの先端に設けられた充電ガンからなる。電力変換部１１が充電動作および放電動作を行うとき、コネクタ部１４は電動車２の受電コネクタ４に着脱自在に取り付けられる。また、コネクタ部１４の近傍には、コネクタ部１４が受電コネクタ４にロックされている状態とロックされていない状態とで異なる接点信号を出力する接点信号出力部（不図示）が設けられている。制御部１５は、この接点信号を読み取ることで、コネクタ部１４が受電コネクタ４にロックされているか否かを判定する。
【００２３】
制御部１５は、放電開始操作が行われたときまたは放電時間帯（タイマー放電の開始時刻〜終了時刻）に電力変換部１１が放電動作を行い、充電開始操作が行われたときまたは充電時間帯（タイマー充電の開始時刻〜終了時刻）に電力変換部１１が充電動作を行うように、電力変換部１１を制御する。制御部１５は、タイマー設定部１５ａと、タイマー管理部１５ｂと、充放電制御部１５ｃとを有している。制御部１５は、マイクロプロセッサであり、制御部１５に含まれる各部１５ａ〜１５ｃの機能は、当該マイクロプロセッサ上で実行されるプログラムによって実現される。
【００２４】
図２（Ａ）は、タイマー設定部１５ａのタイマー放電設定およびタイマー充電設定に関する動作フローであり、図２（Ｂ）は、タイマー設定部１５ａのタイマー放電の延長設定に関する動作フローである。タイマー設定部１５ａは、これらの動作を並行して行う。
【００２５】
図２（Ａ）に示すように、タイマー設定部１５ａは、表示操作部１２から時間情報が入力されると、当該時間情報がタイマー放電の情報かタイマー充電の情報かを判定する（Ｓ１）。タイマー設定部１５ａは、時間情報にタイマー放電の開始時刻および終了時刻が含まれていた場合、当該時間情報をタイマー放電の情報と判定し、当該時間情報をタイマー放電情報として記憶部１６に格納する（Ｓ２）。これにより、タイマー放電の設定が完了する。一方、時間情報にタイマー充電の開始時刻および終了時刻が含まれていた場合、タイマー設定部１５ａは、当該時間情報をタイマー充電の情報と判定し、当該時間情報をタイマー充電情報として記憶部１６に格納する（Ｓ３）。これにより、タイマー充電の設定が完了する。
【００２６】
また、図２（Ｂ）に示すように、タイマー設定部１５ａは、一定時間毎にタイマー放電の延長要求の有無を判定する（Ｓ４）。充放電制御部１５ｃからタイマー放電の延長要求がなかった場合、タイマー設定部１５ａは、タイマー放電の延長要求「無」と判定して動作を終了する。一方、充放電制御部１５ｃからタイマー放電の延長要求があった場合、タイマー放電の延長要求「有」と判定し、タイマー放電の延長要求がされたことを示す延長情報を記憶部１６に格納する（Ｓ５）。これによりタイマー放電の延長設定が完了する。なお、タイマー設定部１５ａは、延長されたタイマー放電の終了時刻経過後に、当該タイマー放電に関する延長情報を消去する。
【００２７】
図３に、一定時間毎に開始されるタイマー管理部１５ｂの動作フローを示す。同図に示すように、タイマー管理部１５ｂは、時計部１３から現在の時刻に関する情報を取得するとともに（Ｓ１１）、記憶部１６に格納されている時間情報のうち最も早い開始時刻を含む時間情報が、タイマー放電情報かタイマー充電情報かを判定する（Ｓ１２）。タイマー管理部１５ｂは、タイマー充電情報と判定した場合、そのまま動作を終了する一方、タイマー放電情報と判定した場合、現在の時刻が当該情報に含まれる放電時間帯内であるか否かを判定する（Ｓ１３）。
【００２８】
現在の時刻が放電時間帯内である場合（Ｓ１３で「ＹＥＳ」）、タイマー管理部１５ｂは、タイマー放電実施設定を「有」にする（Ｓ１５）。一方、現在の時刻が放電時間帯外である場合（Ｓ１３で「ＮＯ」）、タイマー管理部１５ｂは、タイマー放電の延長設定の有無を判定する（Ｓ１４）。タイマー管理部１５ｂは、記憶部１６に延長情報が格納されている場合、タイマー放電の延長設定「有」と判定し、タイマー放電実施設定を「有」にする一方（Ｓ１５）、記憶部１６に延長情報が格納されていない場合、タイマー放電の延長設定「無」と判定し、タイマー放電実施設定を「無」にする（Ｓ１６）。タイマー管理部１５ｂは、充放電制御部１５ｃに対して、タイマー放電実施設定が「有」の状態とタイマー放電実施設定が「無」の状態とで異なる信号を出力する。充放電制御部１５ｃは、この信号を読み取ることで、タイマー管理部１５ｂのタイマー放電実施設定が「有」の状態か「無」の状態かを判定する。
【００２９】
図４に、充放電制御部１５ｃの動作フローを示す。同図に示すように、充放電制御部１５ｃは、給電装置１が起動されると、電力変換部１１が電動車２に電気的に接続されているか否か、言い換えればコネクタ部１４が受電コネクタ４にロックされているか否かを判定する（Ｓ２１）。充放電制御部１５ｃは、コネクタ部１４が受電コネクタ４にロックされていると判定した場合、充電指令（タイマー充電設定または表示操作部１２における充電開始操作）の有無を判定する（Ｓ２２）。
【００３０】
充放電制御部１５ｃは、充電指令「有」と判定した場合、電力変換部１１が充電動作を行うよう充電制御またはタイマー充電制御を行う一方（Ｓ２３）、充電指令「無」と判定した場合、タイマー管理部１５ｂのタイマー放電実施設定が「有」の状態か「無」の状態かを判定する（Ｓ２４）。充放電制御部１５ｃは、タイマー放電実施設定「有」と判定した場合、電力変換部１１が放電動作を行うようタイマー放電制御を行う一方（Ｓ２５）、タイマー放電実施設定「無」と判定した場合、表示操作部１２において放電開始の操作が行われたか否かを判定する（Ｓ２６）。充放電制御部１５ｃは、放電開始の操作が行われたと判定した場合、放電制御を行う一方（Ｓ２７）、放電開始の操作が行われなかったと判定した場合、そのまま動作を終了する。
【００３１】
図５に、ステップＳ２５のタイマー放電制御時に行われる充放電制御部１５ｃの動作フローを示す。充放電制御部１５ｃは、時計部１３から現在の時刻に関する情報を取得するとともに電動車２から車載バッテリ３に関する情報（例えば、充電率、電圧値等に関する情報）を取得し（Ｓ３１）、タイマー放電の延長設定の有無を判定する（Ｓ３２）。
【００３２】
充放電制御部１５ｃは、記憶部１６に延長情報が格納されている場合、タイマー放電の延長設定「有」と判定し、記憶部１６に延長情報が格納されていない場合、タイマー放電の延長設定「無」と判定する。延長設定「無」と判定した充放電制御部１５ｃは、記憶部１６に予め格納されている放電延長条件に関する情報に基づいて当該放電延長条件が満たされているか否かを判定し、当該判定結果に基づいて放電時間帯の終了時刻を遅らせるか否かの決定をする（Ｓ３３）。放電延長条件に関する情報として、「再接続時における車載バッテリ３の充電率が解除時における車載バッテリ３の充電率よりも増加していること（後述の第１実施例参照）」または「放電時間帯の終了時刻における車載バッテリ３の充電率が設定充電率に達していないこと（後述の第２実施例参照）」が、記憶部１６に格納されている。
【００３３】
充放電制御部１５ｃは、ステップＳ３３において放電延長条件が満たされていると判定し、放電時間帯の終了時刻を遅らせる決定をした場合、タイマー設定部１５ａに対してタイマー放電の延長要求を行い（Ｓ３４）、記憶部１６に予め格納されている放電終了条件に関する情報に基づいて、放電終了条件が満たされているか否かを判定する（Ｓ３５）。また、充放電制御部１５ｃは、ステップＳ３２においてタイマー放電の延長設定「有」と判定した場合、またはステップＳ３３において放電延長条件が満たされていないと判定し、放電時間帯の終了時刻を遅らせる決定をしなかった場合も、放電終了条件が満たされているか否かを判定する（Ｓ３５）。放電終了条件に関する情報として、「放電時間帯の終了時刻を遅らせる決定がされ、かつ現在時刻が遅らせた放電時間帯の終了時刻であること（後述の第１実施例参照）」または「放電時間帯の終了時刻を遅らせる決定がされ、かつ車載バッテリ３の充電率が設定充電率Ｘに達したこと（後述の第２実施例参照）」のいずれか一方と、「放電時間帯の終了時刻を遅らせる決定がされず、かつ現在時刻が放電時間帯の終了時刻であること」と、「表示操作部１２において放電停止の操作が行われたこと」とが、記憶部１６に格納されている。
【００３４】
充放電制御部１５ｃは、放電終了条件が満たされていないと判定した場合（Ｓ３５で「ＮＯ」）、電力変換部１１に放電動作を開始させ、または電力変換部１１が放電動作を開始しているときは当該放電動作を継続させて（Ｓ３６）、再び車載バッテリ３に関する情報を取得する（Ｓ３１）。一方、充放電制御部１５ｃは、放電終了条件が満たされていると判定した場合（Ｓ３５で「ＹＥＳ」）、電力変換部１１の放電動作を終了させる（Ｓ３７）。
【００３５】
続いて、充放電制御部１５ｃのタイマー放電制御をより具体的に説明する。
【００３６】
［第１実施例］
図６は、放電制御の第１実施例を示すタイミングチャートである。第１実施例では、タイマー放電の開始時刻がｔ１で終了時刻がｔ４に設定されているものとする（図６（ｂ）参照）。
【００３７】
また、記憶部１６には、放電延長条件「再接続時における車載バッテリ３の充電率が解除時における車載バッテリ３の充電率よりも増加していること」に関する情報と、放電終了条件「表示操作部１２において放電停止の操作が行われたこと（条件１）」、「放電時間帯の終了時刻を遅らせる決定がされず、かつ現在時刻が放電時間帯の終了時刻であること（条件２）」、「放電時間帯の終了時刻を遅らせる決定がされ、かつ現在時刻が遅らせた放電時間帯の終了時刻であること（条件３ａ）」に関する情報とが少なくとも格納されている。
【００３８】
充放電制御部１５ｃは、時刻ｔ１にタイマー放電制御を開始すると、まず現在の時刻および車載バッテリ３に関する情報を取得し（Ｓ３１）、これらの情報を記憶部１６に格納する。時刻ｔ１では、タイマー放電の延長設定はされておらず（Ｓ３２で「無」）、放電延長条件および放電終了条件を満たしていないので（Ｓ３３、Ｓ３５で「ＮＯ」）、充放電制御部１５ｃは、電力変換部１１に放電動作を開始させる（Ｓ３６）。
【００３９】
時刻ｔ１〜時刻ｔ２の時間帯は、充放電制御部１５ｃは、電力変換部１１の放電動作を継続させる。時刻ｔ２に表示操作部１２において放電停止の操作が行われると、充放電制御部１５ｃは、ステップＳ３５で放電終了条件（条件１）が満たされたと判定して、電力変換部１１の放電動作を終了させる（Ｓ３７）。
【００４０】
時刻ｔ２〜時刻ｔ３の時間帯は、ユーザーが電動車２に乗って外出し、外出先で車載バッテリ３が充電されるので（図６（ａ）参照）、車載バッテリ３の充電率（ＳＯＣ）は増加する（図６（ｅ）参照）。また、この時間帯は放電時間帯（時刻ｔ１〜時刻ｔ４）に含まれるので、タイマー管理部１５ｂは、タイマー放電実施設定を「有」の状態にする（図３のＳ１５）。
【００４１】
時刻ｔ３に給電装置１が電動車２に再接続されると、タイマー管理部１５ｂのタイマー放電実施設定が「有」の状態であるため、充放電制御部１５ｃは、タイマー放電制御を行う。すなわち、本実施例に係る給電装置１では、電動車２との接続が解除されても、放電時間帯の終了時刻ｔ４よりも前に電動車２に再接続されれば、電力変換部１１の放電動作を自動的に再開させることができる。また、本実施例では、放電時間帯の時刻ｔ２に電力変換部１１と電動車２との接続が解除された場合について説明しているが、放電時間帯が設定された後、放電時間帯の開始時刻ｔ１よりも前に電力変換部１１と電動車２との接続が解除された場合、放電時間帯に再接続されれば、充放電制御部１５ｃは、電力変換部１１の放電動作を自動的に開始させることができる。
【００４２】
時刻ｔ３では、タイマー放電の延長設定はされていないので、タイマー放電制御を再開した充放電制御部１５ｃは、現在の時刻および車載バッテリ３に関する情報を取得して記憶部１６に格納した後（Ｓ３１）、タイマー放電の延長設定「無」と判定し（Ｓ３２で「無」）、放電時間帯の終了時刻ｔ４を遅らせるか否かの決定をする（Ｓ３３）。再接続時における車載バッテリ３の充電率が解除時における車載バッテリ３の充電率よりも増加しているので、充放電制御部１５ｃは、放電延長条件が満たされていると判定して、放電時間帯の終了時刻をｔ４からｔ５に遅らせる決定をし（Ｓ３３で「ＹＥＳ」）、タイマー設定部１５ａに対してタイマー放電の延長要求を行う（Ｓ３４）。なお、本実施例における充放電制御部１５ｃは、再接続時における車載バッテリ３の充電率と解除時における車載バッテリ３の充電率との差分に基づいて延長時間を算出する。
【００４３】
時刻ｔ３に放電時間帯の終了時刻を遅らせる決定がされると、時刻ｔ５まで放電終了条件が満たされないので、充放電制御部１５ｃは、時刻ｔ５まで電力変換部１１の放電動作を継続させる（図６（ｃ）参照）。時刻ｔ５では、充放電制御部１５ｃは、放電終了条件（条件３ａ）が満たされた判定して（Ｓ３５で「ＹＥＳ」）、電力変換部１１の放電動作を終了させる（Ｓ３７）。
【００４４】
結局、本実施例に係る給電装置１では、再接続時にユーザーが表示操作部１２においてタイマー放電の設定操作を行うことなく、放電時間帯の終了時刻ｔ４を遅らせることが可能となる。したがって、本実施例に係る給電装置１によれば、タイマー放電に関する利便性を向上させることができる。
【００４５】
なお、本実施例に係る給電装置１では、元の終了時刻ｔ４〜延長された終了時刻ｔ５の時間帯はタイマー管理部１５ｂのタイマー放電実施設定が「有」の状態であるため、この時間帯に電動車２との接続が解除されても、延長された終了時刻ｔ５まで電動車２に再接続されれば、充放電制御部１５ｃは、電力変換部１１の放電動作を自動的に再開させることができる。
【００４６】
［第２実施例］
図７は、放電制御の第２実施例を示すタイミングチャートである。第２実施例では、タイマー放電の開始時刻がｔ６で終了時刻がｔ９に設定されているものとする（図７（ｂ）参照）。
【００４７】
また、記憶部１６には、放電延長条件「放電時間帯の終了時刻における車載バッテリ３の充電率が設定充電率Ｘに達していないこと」に関する情報と、放電終了条件「表示操作部１２において放電停止の操作が行われたこと（条件１）」、「放電時間帯の終了時刻を遅らせる決定がされず、かつ現在時刻が放電時間帯の終了時刻であること（条件２）」、「放電時間帯の終了時刻を遅らせる決定がされ、かつ車載バッテリ３の充電率が設定充電率Ｘに達したこと（条件３ｂ）」に関する情報とが少なくとも格納されている。設定充電率Ｘは、表示操作部１２においてユーザーが適宜変更できるものである。
【００４８】
充放電制御部１５ｃは、時刻ｔ８においてタイマー放電制御を再開するまで上記実施例１とほぼ同じ動作を行うため、ここではその説明を省略する。なお、時刻ｔ７〜時刻ｔ８の時間帯は、放電も充電も行われていない。
【００４９】
時刻ｔ８では、タイマー放電の延長設定はされておらず（Ｓ３２で「無」）、放電延長条件および放電終了条件を満たしていないので（Ｓ３３、Ｓ３５で「ＮＯ」）、充放電制御部１５ｃは、電力変換部１１の放電動作を開始させる（Ｓ３６）。
【００５０】
放電時間帯の終了時刻ｔ９において、車載バッテリ３の充電率が設定充電率Ｘに達していないので（図７（ｅ）参照）、充放電制御部１５ｃは、放電延長条件が満たされていると判定して、放電時間帯の終了時刻ｔ９を遅らせる決定をし（Ｓ３３で「ＹＥＳ」）、タイマー設定部１５ａに対してタイマー放電の延長要求を行う（Ｓ３４）。時刻ｔ９に放電時間帯の終了時刻を遅らせる決定がされると、放電終了条件（条件２）が満たされないので、充放電制御部１５ｃは、電力変換部１１の放電動作を継続させる。その後、時刻ｔ１０に放電終了条件（条件３ｂ）が満たされると（図７（ｅ）参照）、充放電制御部１５ｃは、電力変換部１１の放電動作を終了させる（Ｓ３７）。
【００５１】
結局、本実施例に係る給電装置１では、放電時間帯の終了時刻ｔ９にユーザーが表示操作部１２においてタイマー放電の設定操作を行うことなく、放電時間帯の終了時刻ｔ９を遅らせることが可能となる。したがって、本実施例に係る給電装置１によれば、タイマー放電に関する利便性を向上させることができる。
【００５２】
以上、本発明に係る給電装置の実施形態および放電制御の各実施例について説明したが、本発明は上記実施形態および各実施例に限定されるものではない。
【００５３】
例えば、上記各実施例では、充放電制御部１５ｃは、放電延長条件が満たされていると判定した場合に放電時間帯の終了時刻ｔ４、ｔ９を遅らせる決定をしているが、当該決定をする前に、終了時刻ｔ４、ｔ９を遅らせるか否かの選択をユーザーに要求するための「タイマー放電延長の設定画面」を表示操作部１２に表示させ、ユーザーにより終了時刻ｔ４、ｔ９を遅らせる選択がされた場合に終了時刻ｔ４、ｔ９を遅らせる決定（Ｓ３３で「ＹＥＳ」）をする一方、ユーザーにより終了時刻ｔ４、ｔ９を遅らせない選択がされた場合に終了時刻ｔ４、ｔ９を遅らせない決定（Ｓ３３で「ＮＯ」）をするよう構成できる。この構成では、ユーザーは放電時間帯の終了時刻ｔ４、ｔ９を遅らせるか否かを選択するだけで、タイマー放電の設定をあらためて行うことなく、放電時間帯の終了時刻ｔ４、ｔ９を遅らせることが可能となる。
【００５４】
また、充放電制御部１５ｃは、上記実施例１では車載バッテリ３の充電率の増加分に応じて放電時間帯の終了時刻ｔ４を遅らせており、上記実施例２では車載バッテリ３の充電率が設定充電率Ｘに達するまで放電時間帯の終了時刻ｔ９を遅らせているが、タイマー放電を行わなかった時間だけ放電時間帯の終了時刻ｔ４、ｔ９を遅らせてもよい。
【００５５】
上記実施形態では、制御部１５は、タイマー設定部１５ａ、タイマー管理部１５ｂ、充放電制御部１５ｃを有した構成になっているが、車載バッテリ３の状態（ＳＯＣ、電圧、または放電時間等）に基づいて終了時刻を遅らせるか否かの決定をすることができるのであれば、上記構成を適宜変更することができる。
【００５６】
上記実施形態では、タイマー管理部１５ｂは、タイマー放電実施設定が「有」の状態と「無」の状態とで異なる信号を出力し、充放電制御部１５ｃは、この信号を読み取ることでタイマー放電実施設定が「有」の状態か「無」の状態かを判定するよう構成しているが、タイマー管理部１５ｂが、タイマー放電実施設定が「有」の状態であることを示す情報または「無」の状態であることを示す情報を記憶部１６に格納し、充放電制御部１５ｃが、この情報を参照してタイマー放電実施設定が「有」の状態か「無」の状態かを判定するよう構成できる。
【００５７】
表示操作部１２は、「タイマー放電の設定画面」等を表示させるための表示手段と、ユーザーが入力操作を行える操作手段とを有していれば、適宜構成を変更することができる。
【００５８】
また、本発明に係る給電装置では、時間帯が重複していないのであれば、複数のタイマー放電情報およびタイマー充電情報を記憶部１６に格納することができる。
【符号の説明】
【００５９】
１    給電装置
２    電動車
３    車載バッテリ
４    受電コネクタ
５    負荷
６    系統
１０    切替部
１１    電力変換部
１２    表示操作部
１３    時計部
１４    コネクタ部
１５    制御部
１５ａ    タイマー設定部
１５ｂ    タイマー管理部
１５ｃ    充放電制御部
１６    記憶部
【図１】
2015208112.tif 000003
【図２】
2015208112.tif 000004
【図３】
2015208112.tif 000005
【図４】
2015208112.tif 000006
【図５】
2015208112.tif 000007
【図６】
2015208112.tif 000008
【図７】
2015208112.tif 000009